(57)【要約】【課題】タブ付きの記録用紙を用いながらも、記録を常に良好に行なうことができ、スタッキング性の低下を招くことがない画像形成装置を提供する。【解決手段】定型の記録用紙表面の右上縁をタブｔとなる部位として設定し、この部位に切り込み線Ａ及び折り込み線Ｂを記録し、この部位の裏面に数字、記号、文字等を記録して、定型の記録用紙をタブ紙としている。切り込み線Ａに沿って切り込みを入れてから、折り込み線Ｂに沿って折り込むと、タブ紙の縁から突出するタブｔが形成され、タブｔの裏面の数字、記号、文字等がタブ紙の表側に表れて見える。【選択図】図４
2005274912.tif 000002
【特許請求の範囲】
【請求項１】
文字、画像等を記録用紙に記録する画像形成装置において、
記録用紙のタブとなる部位を設定し、この部位にタブ用の記録を行うタブ用記録手段を備えることを特徴とする画像形成装置。
【請求項２】
タブ用の記録は、タブとなる部位への数字、記号、文字等の記録であることを特徴とする請求項１に記載の画像形成装置。
【請求項３】
タブ用の記録は、文字、画像等を表面に記録された記録用紙の裏面に行われることを特徴とする請求項２に記載の画像形成装置。
【請求項４】
タブ用の記録は、タブとなる部位を切り起こすための切込み線を示すことを特徴とする請求項１に記載の画像形成装置。
【請求項５】
タブ用の記録は、タブとなる部位を折り込むための折り込み線を示すことを特徴とする請求項１に記載の画像形成装置。
【請求項６】
タブ用記録手段は、複数の記録用紙のタブとなる部位をそれぞれ設定する場合に、各記録用紙を重ね合わせた状態で、該各記録用紙のタブとなる部位を相互にずらして設定することを特徴とする請求項１に記載の画像形成装置。
【発明の詳細な説明】
【技術分野】
【０００１】
本発明は、文字、画像等を記録用紙に記録する画像形成装置に関する。
【背景技術】
【０００２】
この種の画像形成装置は、複写機やプリンタ等であり、一般に、定型の記録用紙への記録を行う。また、図７に示す様に定型の記録用紙Ｐだけではなく、タブ紙Ｔへの記録も行いつつ、各記録用紙Ｐにタブ紙Ｔを挿入するものもある（特許文献１を参照）。
【０００３】
図８は、タブ紙の挿入が可能な画像形成装置を概略的に示す側面図である。この装置では、定型の記録用紙を積載収容した定型紙給紙カセット１０１と、タブ紙を積載収容したタブ紙給紙カセット１０２とを備えており、定型の記録用紙及びタブ紙の記録を共に行う。
【０００４】
定型の記録用紙は、定型紙給紙カセット１０１から引き出され、各ＰＳローラ１０３まで搬送されて一旦停止され、その先端を各ＰＳローラ１０３と平行にされてから、感光体ドラム１０４と転写ローラ１０５間へと搬送される。感光体ドラム１０４の表面には、静電潜像が一旦形成され、この静電潜像の現像により現像剤像が形成される。この感光体ドラム１０４の現像剤像は、感光体ドラム１０４と転写ローラ１０５間を通過する記録用紙に転写される。この後、記録用紙は、加熱ローラ１０６ａと加圧ローラ１０６ｂ間で加熱及び加圧されて、現像剤像（画像）を定着され、更に各排紙ローラ１０７間を通って排紙トレイ１０８に排出される。
【０００５】
タブ紙も、タブ紙給紙カセット１０２から引き出されてからは、定型の記録用紙と同様の手順で処理されて、排紙トレイ１０８に排出される。ただし、タブ紙に画像が記録されるだけではなく、タブ紙のタブにも予め設定された数字、記号、文字等が記録される。
【０００６】
図９は、図８の画像形成装置による処理過程を示すフローチャートである。ここでは、原稿の画像を読取って、この画像を記録用紙に記録するという複写処理を行っている。
【０００７】
まず、画像形成装置の操作パネルの操作により印字要求がなされると（ステップＳ１１１）、印字倍率、印字要求部数、及び印字濃度等の印字条件が入力されているか否かを判定し（ステップＳ１１２）、印字条件が入力されていなければ（ステップＳ１１２で「Ｎｏ」）、操作パネルの表示画面に印字条件の入力を促す旨を表示する（ステップＳ１１３）。
【０００８】
印字条件が入力されると（ステップＳ１１２で「Ｙｅｓ」）、操作パネルの操作によりタブ紙挿入モードが設定されているか否かを判定する（ステップＳ１１４）。そして、タブ紙挿入モードが設定されていなければ（ステップＳ１１４で「Ｎｏ」）、原稿の画像を読取って、この画像を先に述べた手順で定型の記録用紙に記録するという通常の複写処理を行い（ステップＳ１１５）、次の原稿があれば（ステップＳ１１６で「Ｙｅｓ」）、ステップＳ１１５を繰り返し、また次の原稿がなければ（ステップＳ１１６で「Ｎｏ」）、待機状態となる。
【０００９】
また、タブ紙挿入モードが設定されていれば（ステップＳ１１４で「Ｙｅｓ」）、タブ紙がタブ紙給紙カセット１０２に収容されているか否かを確認し（ステップＳ１１７）、タブ紙が収容されていなければ（ステップＳ１１７で「Ｎｏ」）、操作パネルの表示画面にタブ紙の補給を促す旨を表示する（ステップＳ１１８）。
【００１０】
また、タブ紙が収容されていれば（ステップＳ１１７で「Ｙｅｓ」）、操作パネルの操作によりタブ紙の挿入間隔、すなわち各タブ紙間に挟み込まれる定型の記録用紙の枚数が入力され、同じく操作パネルの操作によりタブ紙のタブに記録される数字、記号、文字等が入力され、タブ紙の挿入間隔、及びタブに記録される数字、記号、文字等が記憶される（ステップＳ１１９、Ｓ１２０）。
【００１１】
この後、全ての原稿の画像を順次読取り、読取った画像を処理し（ステップＳ１２１〜Ｓ１２４）、記録開始となる（ステップＳ１２５）。
【００１２】
この記録開始直後には、第１頁目がタブ紙の記録か否かを判定する（ステップＳ１２６）。例えば、タブ紙の記録であれば（ステップＳ１２６で「Ｙｅｓ」）、先に述べた様にタブ紙をタブ紙給紙カセット１０２から引き出して、タブ紙の記録並びにタブの記録を行い、タブ紙を排紙トレイ１０８に排出する（ステップＳ１２７）。
【００１３】
また、タブ紙の記録でなければ（ステップＳ１２６で「Ｎｏ」）、定型の記録用紙の記録であることから、先に述べた様に定型の記録用紙を定型紙給紙カセット１０１から引き出して、記録用紙の記録を行い、記録用紙を排紙トレイ１０８に排出する（ステップＳ１２８）。
【００１４】
次に、第２頁目がタブ紙の記録か否かを判定する（ステップＳ１２９）。そして、タブ紙の記録であれば（ステップＳ１２９で「Ｙｅｓ」）、タブ紙の記録並びにタブの記録を行なって、タブ紙を排紙トレイ１０８に排出する（ステップＳ１３０）。この後、次の原稿があれば（ステップＳ１３１で「Ｙｅｓ」）、ステップＳ１２６に戻り、また次の原稿がなければ（ステップＳ１３１で「Ｎｏ」）、待機状態となる。
【００１５】
また、第２頁目がタブ紙の記録でなく（ステップＳ１２９で「Ｎｏ」）、次の原稿があれば（ステップＳ１３２で「Ｙｅｓ」）、ステップＳ１２８に戻って、定型の記録用紙の記録を行なって、記録用紙を排紙トレイ１０８に排出する。また、次の原稿がなければ（ステップＳ１３２で「Ｎｏ」）、待機状態となる。
【００１６】
以降、ステップＳ１２６〜Ｓ１３２の繰り返しにより、ステップＳ１１９で設定されたタブ紙の挿入間隔毎に、タブ紙の記録並びにタブの記録が行われると共に、各タブ紙間に挟み込まれる定型の記録用紙の記録が行われ、記録用紙及びタブ紙が排紙トレイ１０８に順次排出されて積み重ねられる。
【特許文献１】特開平１１−２２５２４７号公報
【発明の開示】
【発明が解決しようとする課題】
【００１７】
ところで、タブ紙のタブは、該タブ紙の縁から突出している。このため、タブ紙のタブを各ＰＳローラ１０３側に向けて、タブ紙をタブ紙給紙カセット１０２から引き出すと、タブ紙が各ＰＳローラ１０３で一旦停止されたときに、タブ紙のタブが各ＰＳローラ１０３に突き当たってしまい、タブ紙の先端が各ＰＳローラ１０３と平行にならず、この状態のままでタブ紙が搬送されて、タブ紙上で画像が傾斜して記録される。
【００１８】
また、タブ紙のタブを各ＰＳローラ１０３側とは反対方向に向けて、タブ紙をタブ紙給紙カセット１０２から引き出すと、タブ紙が各ＰＳローラ１０３で一旦停止されたときに、タブ紙の先端が各ＰＳローラ１０３と平行にされるものの、タブ紙に画像が記録されて、タブ紙が排紙トレイ１０８に排出されると、図１０に示す様に排紙トレイ１０８上では、記録用紙Ｐの縁とタブ紙Ｔのタブｔの縁とが揃えられるので、記録用紙Ｐとタブ紙Ｔとがずれてしまい、スタッキング性の低下（複数の記録用紙を揃えて積み重ねることができない）が生じた。
【００１９】
そこで、本発明は、上記従来の問題点に鑑みてなされたものであり、タブ付きの記録用紙を用いながらも、記録を常に良好に行なうことができ、スタッキング性の低下を招くことがない画像形成装置を提供することを目的とする。
【課題を解決するための手段】
【００２０】
上記課題を解決するために、本発明は、文字、画像等を記録用紙に記録する画像形成装置において、記録用紙のタブとなる部位を設定し、この部位にタブ用の記録を行うタブ用記録手段を備えている。
【００２１】
また、本発明においては、タブ用の記録は、タブとなる部位への数字、記号、文字等の記録である。
【００２２】
更に、本発明においては、タブ用の記録は、文字、画像等を表面に記録された記録用紙の裏面に行われる。
【００２３】
また、本発明においては、タブ用の記録は、タブとなる部位を切り起こすための切込み線を示している。
【００２４】
更に、本発明においては、タブ用の記録は、タブとなる部位を折り込むための折り込み線を示している。
【００２５】
また、本発明においては、タブ用記録手段は、複数の記録用紙のタブとなる部位をそれぞれ設定する場合に、各記録用紙を重ね合わせた状態で、該各記録用紙のタブとなる部位を相互にずらして設定している。
【発明の効果】
【００２６】
本発明によれば、記録用紙のタブとなる部位を設定し、この部位にタブ用の記録を行っている。この記録用紙の記録の後で、記録用紙のタブとなる部位を見つけ出し、この部位を切ったり折り曲げたりすることにより、記録用紙の縁から突出するタブを形成することができる。従って、専用のタブ紙を用いる必要がなく、定型の記録用紙だけを用いることになる。このため、記録用紙の記録を常に良好に行なうことができ、記録用紙のスタッキング性が向上する。
【００２７】
例えば、タブ用の記録は、タブとなる部位への数字、記号、文字等の記録であり、文字、画像等を表面に記録された記録用紙の裏面に行われる。先に述べた様にタブとなる部位を切ったり折り曲げたりすることにより、記録用紙の縁から突出するタブを形成した場合は、このタブの裏面が記録用紙の表面側に表れる。そこで、タブの数字、記号、文字等を記録用紙の裏面に記録しておき、記録用紙の縁から突出するタブを形成した状態では、タブの裏面の数字、記号、文字等を記録用紙の表面側から見ることができる様にしている。
【００２８】
また、タブ用の記録は、タブとなる部位を切り起こすための切込み線を示し、あるいはタブとなる部位を折り込むための折り込み線を示す。この場合は、切込み線に沿って切り込みを入れたり、折り込み線に沿って折るという作業を容易に行なうことができ、タブを容易に形成することができる。
【００２９】
更に、各記録用紙を重ね合わせた状態で、該各記録用紙のタブとなる部位を相互にずらして設定しているので、各タブの視認性が向上する。
【発明を実施するための最良の形態】
【００３０】
以下、本発明の実施形態を添付図面を参照しつつ詳細に説明する。
【実施例１】
【００３１】
図１は、本発明の画像形成装置の実施例１を示す側面図である。また、図２は、本実施例の画像形成装置を示す斜視図である。この画像形成装置１は、その構成を大別すると、原稿搬送部２、読取り部３、印字部４、印字用紙搬送部５、給紙部６、及び排紙部７からなる。
【００３２】
この画像形成装置１においては、まず、原稿を原稿搬送部２の原稿セットトレイ１１にセットしてから、読取り部３の操作パネル１４を操作することにより、印字用紙のサイズ、印字倍率、印字要求部数、及び印字濃度等を設定し、更に複写の開始を指示する。
【００３３】
これに応答して原稿搬送部２では、原稿を１枚ずつ原稿セットトレイ１１から引き出して、原稿を読取り部３のプラテンガラス１２上で副走査方向に搬送し、原稿を原稿排出トレイ１３へと搬送する。
【００３４】
読取り部３では、プラテンガラス１２上での原稿の副走査方向の搬送に際し、第１走査ユニット１５によって原稿を露光し、第１及び第２走査ユニット１５、１６によって原稿からの反射光を結像レンズ１７へと導き、結像レンズ１７によって原稿の画像を光電変換素子（以下ＣＣＤと称する）１８上に結像する。ＣＣＤ１８は、原稿の画像を主走査方向に繰り返し走査して読取り、原稿の画像を示す画像データを出力する。
【００３５】
あるいは、原稿をプラテンガラス１２上にセットしてから、操作パネル１４の操作により、印字用紙のサイズ、印字倍率、印字要求部数、及び印字濃度等を設定し、更に操作パネル１４の操作により複写の開始を指示する。
【００３６】
読取り部３では、第１及び第２走査ユニット１５、１６を相互に所定の速度関係を維持しつつ副走査方向に移動させ、第１走査ユニット１５によってプラテンガラス１２上の原稿を露光し、第１及び第２走査ユニット１５、１６によって原稿からの反射光を結像レンズ１７へと導き、結像レンズ１７によって原稿の画像をＣＣＤ１８上に結像する。ＣＣＤ１８は、原稿の画像を読取って、原稿の画像を示す画像データを出力する。
【００３７】
ＣＣＤ１８から出力された画像データは、マイクロコンピュータ等の演算回路（図示せず）により各種の画像処理を施されてから、印字部４に出力される。
【００３８】
印字部４は、画像データによって示される原稿の画像を記録用紙に印字するものであって、感光体ドラム２１、帯電器２２、レーザスキャンユニット（以下ＬＳＵと称する）２３、現像器２４、転写器２５、クリーニング器２６、除電器（図示せず）、及び定着器２７等を備えている。感光体ドラム２１は、一方向に回転しており、その表面をクリーニング器２６と除電器によりクリーニングされてから、その表面を帯電器２２により均一に帯電される。レーザスキャンユニット２３は、画像データに応じてレーザ光を変調し、このレーザ光によって感光体ドラム２１表面を主走査方向に繰り返し走査して、静電潜像を感光体ドラム２１表面に形成する。現像器２４は、トナーを感光体ドラム２１表面に供給して、静電潜像を現像し、トナー像を感光体ドラム２１表面に形成する。転写器２５は、感光体ドラム２１表面のトナー像を記録用紙搬送部５により搬送されて来た記録用紙に転写する。定着器２７は、加熱ローラ２７ａ及び加圧ローラ２７ｂを備えており、各ローラ２７ａ、２７ｂ間に記録用紙を挟み込んで搬送しつつ、各ローラ２７ａ、２７ｂにより記録用紙を加熱及び加圧して、記録用紙上のトナー像を定着させる。これにより、記録用紙に画像が記録される。この後、記録用紙は、記録用紙搬送部５により排紙部７へと更に搬送されて排出される。
【００３９】
記録用紙搬送部５は、記録用紙を搬送するための各ＰＳローラ２８、各搬送ローラ２９、搬送経路３１、反転搬送経路３２、各排紙ローラ３３、及び分岐爪３４等を備えている。搬送経路３１では、記録用紙を給紙部６から受け取り、記録用紙の先端が各ＰＳローラ２８に達したときに記録用紙の搬送を一時的に停止して、記録用紙の先端を各ＰＳローラ２８と平行にし、この後に記録用紙を各ＰＳローラ２８により印字部４の転写器２５へと搬送し、更に記録用紙を排紙部７へと搬送する。また、記録用紙の裏面にも画像を記録する場合は、分岐爪３４を回転移動させ、搬送経路３１と反転搬送経路３２の分岐路を切換えてから、記録用紙を搬送経路３１から反転搬送経路３２へと逆方向に搬送する。反転搬送経路３２では、記録用紙を搬送経路３１から受け取ると、記録用紙の表裏を反転させてから、記録用紙を搬送経路３１の各ＰＳローラ２８へと戻す。これにより、記録用紙の裏面にも画像が記録される。これらの搬送経路３１、３２には、記録用紙の通過を検出するための複数の検知スイッチが配置されており、各検知スイッチの検知に基づいて記録用紙の搬送タイミング等の制御が行なわれる。
【００４０】
給紙部６は、未使用の記録用紙を収容して、この未使用の記録用紙を記録用紙搬送部５に供給するものであって、給紙カセット３５を備えている。給紙カセット３５には、記録用紙が積層収容されており、ピックアップローラ３６により記録用紙が１枚ずつ引き出されて各ＰＳローラ２８へと搬送される。
【００４１】
図３は、画像形成装置１の構成を示すブロック図である。この画像形成装置１は、先に述べた原稿搬送部２、読取り部３、印字部４、印字用紙搬送部５、給紙部６、及び排紙部７の他に、画像処理部４１、主記憶部４２、主制御部４３、表示操作部４４、ファクシミリ通信部４５、及びデータ通信部４６等を備えている。
【００４２】
画像処理部４１は、ＣＣＤ１８から出力された画像データを処理するものである。この画像処理部４１による画像データの処理としては、シェーディング補正、濃度補正、領域分離、フィルタ処理、ＭＴＦ補正、解像度変換、電子ズーム（変倍処理）、ガンマ補正等がある。
【００４３】
主記憶部４２は、未処理の画像データや処理済みの画像データを記憶したり、あるいは画像処理のための各種のプログラムやデータテーブル等、画像形成装置１の動作用の各種のプログラムやデータテーブル等を記憶したりしている。
【００４４】
主制御部４３は、画像形成装置１を統括的に制御するものであり、例えば読取り部３、印字部４、印字用紙搬送部５、給紙部６、及び排紙部７等を制御する。
【００４５】
表示操作部４４は、タッチパネルや操作キー群からなる操作パネル１４からの入力を検出したり、操作パネル１４の液晶表示装置４７を表示制御したりする。
【００４６】
ファクシミリ通信部４５は、外部端末をネットワークを通じて呼び出して、画像データを外部端末に送信したり、外部端末からの着信をネットワークを通じて受けて、画像データを外部端末から受信したりする。
【００４７】
データ通信部４６は、画像データを外部端末からＬＡＮ等を通じて送受信する。
【００４８】
ところで、本実施例の画像形成装置では、文字、画像等を定型の記録用紙に記録するだけではなく、定型の記録用紙のタブとなる部位を設定して、この部位にタブ用の記録を行い、定型の記録用紙をタブ付きのもの（以下タブ紙と称する）としても併用可能にしている。
【００４９】
例えば、図４（ａ）に示す様に定型の記録用紙表面の右上縁をタブｔとなる部位として設定し、この部位に切り込み線Ａ及び折り込み線Ｂを記録し、この部位の裏面に数字、記号、文字等を記録して、定型の記録用紙をタブ紙としている。図４（ｂ）に示す様に切り込み線Ａに沿って切り込みを入れてから、折り込み線Ｂに沿って折り込むと、タブ紙の縁から突出するタブｔが形成され、タブｔの裏面の数字、記号、文字等がタブ紙の表側に表れて見える。従って、従来の様に専用のタブ紙を用いる必要がなく、タブ紙給紙カセット等を必用としない。あるいは、記録用紙に別途貼り付けられるタブシール等（市販品）を必要としない。
【００５０】
また、タブ紙が定型の記録用紙であるため、タブ紙を含む全ての記録用紙の記録を常に良好に行なうことができ、排紙部７におけるタブ紙を含む全ての記録用紙のスタッキング性が向上する。
【００５１】
次に、図５に示すフローチャートに従って、画像形成装置１による複写処理を説明する。勿論、この複写処理過程でも、タブ紙を設定する。
【００５２】
まず、画像形成装置１の操作パネル１４の操作により印字要求がなされると（ステップＳ５１）、この印字要求が表示操作部４４を介して主制御部４３へと通知される。主制御部４３は、この印字要求に応答して、印字倍率、印字要求部数、及び印字濃度等の印字条件が操作パネル１４から操作入力されているか否かを判定し（ステップＳ５２）、印字条件が入力されていなければ（ステップＳ５２で「Ｎｏ」）、印字条件の入力を促す旨を表示操作部４４を介して操作パネル１４の液晶表示装置４７に表示する（ステップＳ５３）。
【００５３】
次に、印字条件が入力されると（ステップＳ５２で「Ｙｅｓ」）、主制御部４３は、タブ紙挿入モードが操作パネル１４から操作入力されているか否かを判定する（ステップＳ５４）。そして、タブ紙挿入モードが入力されていなければ（ステップＳ５４で「Ｎｏ」）、主制御部４３は、先に述べた手順で原稿の画像を読取って、この画像を定型の記録用紙に記録するという通常の複写処理を行い（ステップＳ５５）、次の原稿があれば（ステップＳ５６で「Ｙｅｓ」）、ステップＳ５５を繰り返し、また次の原稿がなければ（ステップＳ５６で「Ｎｏ」）、待機状態となる。
【００５４】
また、タブ紙挿入モードが入力されると（ステップＳ５４で「Ｙｅｓ」）、これに引き続いてタブ紙の挿入間隔、すなわち各タブ紙間に挟み込まれる定型の記録用紙の枚数が操作パネル１４から操作入力され、タブ紙のタブに記録される数字、記号、文字等が操作パネル１４から操作入力されるので、主制御部４３は、タブ紙の挿入間隔、及びタブに記録される数字、記号、文字等を主記憶部４２に記憶させる（ステップＳ５７、Ｓ５８）。
【００５５】
この後、主制御部４３は、全ての原稿の画像を読取り部３で順次読み取らせて主記憶部４２に記憶させ（ステップＳ５９、Ｓ６０）、主記憶部４２内の全ての原稿の画像を画像処理部４１により処理させる（ステップＳ６１、Ｓ６２）。そして、この画像処理部４１による処理が終了すると、記録開始となる（ステップＳ６３）。
【００５６】
主制御部４３は、記録開始となると、ステップＳ５７で記憶したタブ紙の挿入間隔を主記憶部４２から読み出し、このタブ紙の挿入間隔と、原稿の頁順とに基づいて、第１頁目がタブ紙の記録か否かを判定する（ステップＳ６４）。例えば、タブ紙の記録であれば（ステップＳ６４で「Ｙｅｓ」）、主制御部４３は、ステップＳ５８で記憶した数字、記号、文字等を主記憶部４２から読み出し（ステップＳ６５）、第１頁目の原稿の画像を主記憶部４２から読み出して、この画像を定型の記録用紙に記録する。同時に、主制御部４３は、図４（ａ）に示す様に定型の記録用紙表面の右上縁をタブｔとなる部位として設定し、この部位に切り込み線Ａ及び折り込み線Ｂを印字部４で記録させる。切り込み線Ａ及び折り込み線Ｂは、主記憶部４２に予め記憶されており、主記憶部４２から印字部４に通知される。引き続いて、主制御部４３は、記録用紙搬送部５を制御して、記録用紙を搬送経路３１から反転搬送経路３２を介して搬送経路３１の各ＰＳローラ２８へと戻し、記録用紙の表裏を反転させてから、定型の記録用紙表面のタブｔとなる部位の裏面に、ステップＳ６５で読み出した数字、記号、文字等を印字部４で記録させる（ステップＳ６６）。この後、記録用紙を排紙部７に排出させる。
【００５７】
従って、定型の記録用紙をタブ紙として用いる場合は、原稿の画像が定型の記録用紙表面に記録され、定型の記録用紙表面にタブｔとなる部位が設定され、この部位に切り込み線Ａ及び折り込み線Ｂが記録され、この部位の裏面に数字、記号、文字等が記録される。
【００５８】
また、タブ紙の記録でなければ（ステップＳ６４で「Ｎｏ」）、主制御部４３は、第１頁目の原稿の画像を主記憶部４２から読み出して、この画像だけを定型の記録用紙に記録させ（ステップＳ６７）、記録用紙を排紙部７に排出させる。
【００５９】
次に、主制御部４３は、ステップＳ５７で記憶したタブ紙の挿入間隔と、原稿の頁順とに基づいて、第２頁目がタブ紙の記録か否かを判定する（ステップＳ６８）。そして、タブ紙の記録であれば（ステップＳ６８で「Ｙｅｓ」）、各ステップＳ６５、Ｓ６６と同様に、原稿の画像を定型の記録用紙表面に記録させ、定型の記録用紙表面のタブｔとなる部位を設定し、この部位に切り込み線Ａ及び折り込み線Ｂを記録させ、この部位の裏面に数字、記号、文字等を記録させ（ステップＳ６９、Ｓ７０）、記録用紙を排紙部７に排出させる。
【００６０】
この後、第３頁目があれば（ステップＳ７１で「Ｙｅｓ」）、ステップＳ６４に戻り、また第３頁目がなければ（ステップＳ７１で「Ｎｏ」）、待機状態となる。
【００６１】
また、第２頁目がタブ紙の記録でなく（ステップＳ６８で「Ｎｏ」）、第２頁目があれば（ステップＳ７２で「Ｙｅｓ」）、ステップＳ６７に戻って、第２頁目の原稿の画像だけを定型の記録用紙に記録させ、記録用紙を排紙トレイ１０８に排出させる。また、第２頁目の原稿がなければ（ステップＳ７２で「Ｎｏ」）、待機状態となる。
【００６２】
以降、ステップＳ６４〜Ｓ７２の繰り返しにより、主記憶部４２に記憶されたタブ紙の挿入間隔毎に、記録用紙がタブ紙にされ、通常の記録用紙及びタブ紙が排紙トレイ７に順次排出されて積み重ねられる。
【００６３】
ただし、複数のタブ紙がある場合は、各タブ紙のタブｔとなる部位が相互にずらされる。例えば、タブ紙の枚数が増える毎に、タブｔとなる部位がタブ紙の右縁上から該タブｔの縦幅だけ該タブ紙の右縁下へとずらされる。これにより、複数のタブ紙が重ねられても、各タブ紙のタブｔ（図４（ｂ）に示す）が相互にずれ、各タブ紙のタブｔの視認性が良くなる。また、タブｔとなる部位がタブ紙の右縁下までずらされたときには、タブｔとなる部位をタブ紙の右縁上に戻しても良い。
【００６４】
また、各タブ紙別に、タブｔの裏面に記録される数字、記号、文字等を入力して主記憶部４２に記憶させておき、各タブ紙のタブｔの裏面に記録される数字、記号、文字等を相互に異なせる。これにより、各タブ紙のタブｔによるインデックスの表示等が可能になる。
【００６５】
こうして全ての原稿の画像をそれぞれの記録用紙に記録した後に、各記録用紙を排紙トレイ７から持ち出し、各記録用紙のうちのタブ紙だけを抽出して、図４（ｂ）に示す様に切り込み線Ａに沿って切り込みを入れてから、折り込み線Ｂに沿って折り込んで、タブ紙の縁から突出するタブｔを形成し、タブｔの裏面の数字、記号、文字等をタブ紙の表側に向ける。
【００６６】
この様に本実施例では、記録用紙のタブｔとなる部位を設定し、この部位にタブ用の記録を行っているので、記録用紙の記録の後で、記録用紙のタブｔの部位を切ったり折り曲げたりすることにより、記録用紙の縁から突出するタブｔを形成することができる。従って、専用のタブ紙を用いる必要がなく、記録用紙の記録を常に良好に行なうことができ、記録用紙のスタッキング性が向上する。
【００６７】
尚、本発明は、上記実施例に限定されるものではなく、多様に変形することができる。例えば、図６に示す様な切り込み線Ａ１に沿って切り込みを入れてから、折り込み線Ｂ１に沿って折り込んで、半円形のタブｔ１を形成しても良い。
【図面の簡単な説明】
【００６８】
【図１】本発明の画像形成装置の実施例１を示す側面図である。
【図２】図１の画像形成装置を示す斜視図である。
【図３】図１の画像形成装置の構成を示すブロック図である。
【図４】（ａ）はタブとなる部位を記録された定型の記録用紙を示す図であり、（ｂ）はタブの部位から形成されたタブを拡大して示す図である。
【図５】図１の画像形成装置による複写処理を示すフローチャートである。
【図６】タブの変形例を示す図である。
【図７】一般的な記録用紙とタブ紙を重ねあわせて示す図である。
【図８】従来の画像形成装置を概略的に示す側面図である。
【図９】図８の画像形成装置による複写処理を示すフローチャートである。
【図１０】図８の画像形成装置における排紙トレイに重ねられた記録用紙とタブ紙を示す側面図である。
【符号の説明】
【００６９】
１  画像形成装置
２  原稿搬送部
３  読取り部
４  印字部
５  記録用紙搬送部
６  給紙部
７  排紙部
１１  原稿セットトレイ
１２  プラテンガラス
１４  操作パネル
１５  第１走査ユニット
１６  第２走査ユニット
１７  結像レンズ
１８  光電変換素子（ＣＣＤ）
２１  感光体ドラム
２２  帯電器
２３  レーザスキャンユニット（ＬＳＵ）
２４  現像器
２５  転写器
２６  クリーニング器
２７  定着器
４１  画像処理部
４２  主記憶部
４３  主制御部
４４  表示操作部
４５  ファクシミリ通信部
４６  データ通信部
【図１】
2005274912.tif 000003
【図２】
2005274912.tif 000004
【図３】
2005274912.tif 000005
【図４】
2005274912.tif 000006
【図５】
2005274912.tif 000007
【図６】
2005274912.tif 000008
【図７】
2005274912.tif 000009
【図８】
2005274912.tif 000010
【図９】
2005274912.tif 000011
【図１０】
2005274912.tif 000012